(57)【要約】    【課題】多種の門柱を準備することなく需用者の要求に容易に応じることができ、経済化が達成できる構成の機能門柱を提供する。    【解決手段】左右の縦板１と、左右の縦板１間を結合する複数枚の仕切板２と、左右の縦板１の前面、背面にそれぞれ取付ける前板５韓、背板１０〜１２と、縦板１、前板５カラおよび背板１０〜１２の頂部に取付ける蓋２３とを備える。仕切板２により門柱内に機能部品を収容可能な複数の空間を画成する。前板５〜７、背板１０〜１２は複数の空間に対応して複数に分割する。縦板１、前板５〜７および背板１０〜１２は、異なる外観、材質を有する複数種類のものが準備されてその中から選択されたものにより構成する。機能部品のうちの少なくとも１つは、縦板１、仕切板２、前板５〜７、背板１０〜１２の少なくともいずれかに選択的に取付けられる構成を有する【選択図】図２
2006241877.tif 000002
【特許請求の範囲】
【請求項１】
左右の縦板と、左右の縦板間を結合する複数枚の仕切板と、左右の縦板の前面、背面にそれぞれ取付ける前板、背板と、縦板、前板および背板の頂部に取付ける蓋とを備え、
前記仕切板により門柱内に機能部品を収容可能な複数の空間を画成し、
前記前板、背板は前記複数の空間に対応して複数に分割し、
前記縦板、前板および背板は、異なる外観、材質を有する複数種類のものが準備されてその中から選択されたものにより構成し、
前記機能部品のうちの少なくとも１つは、前記縦板、仕切板、前板、背板の少なくともいずれかに選択的に取付けられる構成を有する
ことを特徴とする機能門柱。
【請求項２】
請求項１に記載の機能門柱において、
前記縦板の外面に取付けるサイドパネルを更に備え、該サイドパネルは、異なる外観、材質を有する複数種類のものが準備されてその中から選択されたものを縦板に取付けた
ことを特徴とする機能門柱。
【請求項３】
請求項１または２に記載の機能門柱において、
前記縦板の前後に、前記前板、背板の両側を上下方向にスライド嵌合して取付ける取付け溝を設けた
ことを特徴とする機能門柱。
【請求項４】
請求項３に記載の機能門柱において、
前記縦板の前後の少なくともいずれか一方に、前記取付け溝を2条設けた
ことを特徴とする機能門柱。
【請求項５】
請求項４に記載の機能門柱において、
前記2条の取付け溝のうち、内側の取付け溝には透明または半透明のカラーパネルを装着し、外側の取付け溝には曇り度合の高い半透明のパネルを装着した
ことを特徴とする機能門柱。
【請求項６】
請求項３から５までのいずれかに記載の機能門柱において、
前記仕切板の前後に、該当する仕切板の上に隣接する前板、背板を支持するスペーサを取付けた
ことを特徴とする機能門柱。
【請求項７】
請求項１から６までのいずれかに記載の機能門柱において、
前記機能部品が、照明、サインパネル、インターホン、ポスト、防犯ユニット、自動点灯装置のうちの少なくともいずれか１つである
ことを特徴とする機能門柱。
【発明の詳細な説明】
【技術分野】
【０００１】
本発明は、必要に応じて例えば照明、サインパネル（表札）、インターホン等の機能部品を取付ける機能門柱に関する。
【背景技術】
【０００２】
門柱には照明、サインパネル、インターホン等が取付けられることがある。特許文献１には、このような門柱として、中空の門柱の外面に照明等を取付け可能とするため、門柱の内面に縦方向にリブを設けたものが開示されている。
【０００３】
【特許文献１】特許第３５０６０８９号公報
【発明の開示】
【発明が解決しようとする課題】
【０００４】
門柱については、需用者の好み、要求が様々に存在する。このような好み、要求に、特許文献１に記載の機能門柱の構成で対応しようとすると、色、材質、機能が異なる多種の門柱を準備しなければならず、メーカー側の製造設備、保管場所の確保等の負担が大となる。
【０００５】
本発明は、上記した事情に鑑み、多種の門柱を準備することなく需用者の要求に容易に応じることができ、経済化が達成できる構成の機能門柱を提供することを目的とする。
【課題を解決するための手段】
【０００６】
請求項１に記載の機能門柱は、左右の縦板と、左右の縦板間を結合する複数枚の仕切板と、左右の縦板の前面、背面にそれぞれ取付ける前板、背板と、縦板、前板および背板の頂部に取付ける蓋とを備え、
前記仕切板により門柱内に機能部品を収容可能な複数の空間を画成し、
前記前板、背板は前記複数の空間に対応して複数に分割し、
前記縦板、前板および背板は、異なる外観、材質を有する複数種類のものが準備されてその中から選択されたものにより構成し、
前記機能部品のうちの少なくとも１つは、前記縦板、仕切板、前板、背板の少なくともいずれかに選択的に取付けられる構成を有する
ことを特徴とする。
【０００７】
請求項２に記載の機能門柱は、請求項１に記載の機能門柱において、
前記縦板の外面に取付けるサイドパネルを更に備え、該サイドパネルは、異なる外観を有する複数種類のものが準備されてその中から選択されたものを縦板に取付けた
ことを特徴とする。
【０００８】
請求項３の機能門柱は、請求項１または２に記載の機能門柱において、
前記縦板の前後に、前記前板、背板の両側を上下方向にスライド嵌合して取付ける取付け溝を設けた
ことを特徴とする。
【０００９】
請求項４の機能門柱は、請求項３に記載の機能門柱において、
前記縦板の前後の少なくともいずれか一方に、前記取付け溝を2条設けた
ことを特徴とする。
【００１０】
請求項５の機能門柱は、請求項４に記載の機能門柱において、
前記2条の取付け溝のうち、内側の取付け溝には透明または半透明のカラーパネルを装着し、外側の取付け溝には曇り度合の高い半透明のパネルを装着した
ことを特徴とする。
【００１１】
請求項６の機能門柱は、請求項３から５までのいずれかに記載の機能門柱において、
前記仕切板の前後に、該当する仕切板の上に隣接する前板、背板を支持するスペーサを取付けた
ことを特徴とする。
【００１２】
請求項７の機能門柱は、請求項１から６までのいずれかに記載の機能門柱において、
前記機能部品が、照明、サインパネル、インターホン、ポスト、防犯ユニット、自動点灯装置のうちの少なくともいずれか１つである
ことを特徴とする。
【発明の効果】
【００１３】
請求項１の発明によれば、門柱の前板、背板、縦板の外観（色、模様）、材質（金属、樹脂、セメントボード等）に種々のものを準備しておき、これらの色、材質が選択可能であり、また機能部品を選択的に取付け可能であるから、外観、機能が異なる各種の門柱が、基本的構成を共通にして提供可能となる。このため、外観、材質、機能の異なる各種の門柱をそれぞれ製造、保管しておく必要がなくなり、経済化が達成できる。
【００１４】
請求項２の発明によれば、前記縦板の外面に取付けるサイドパネルを更に備え、該サイドパネルは、異なる外観を有する複数種類のものが準備されてその中から選択されたものを縦板に取付けたので、さらに多種の外観の門柱を提供することができる。
【００１５】
請求項３の発明によれば、前記縦板の前後に、前記前板、背板の両側を上下方向にスライド嵌合して取付ける取付け溝を設けたので、前板、背板の着脱が容易となる。
【００１６】
請求項４の発明によれば、前記縦板の前後の少なくともいずれか一方に、前記取付け溝を2条設けたので、透明または半透明の2種のパネルを装着することが可能となり、より多種の外観を有する門柱の提供が可能となる。
【００１７】
請求項５の発明によれば、2条の取付け溝のうち、内側の取付け溝には透明または半透明のカラーパネルを装着し、外側の取付け溝には曇り度合の高い半透明のパネルを装着したので、柔らかな感じの質感の高い外観が得られる。また、内部に照明のある場所にこの２枚重ね構造を採用することにより、中の照明器具が外部から見えず、外観が向上する。
【００１８】
請求項６の発明によれば、前記仕切板の前後に、該当する仕切板の上に隣接する前板、背板を支持するスペーサを取付けたので、仕切板により画成された空間の前面や背面を開口構造とすることが容易であり、ポスト等のように前記画成された空間に収容される機能部品の前後面を開口構造とする必要のある場合に組立が容易となる。
【００１９】
請求項７の発明によれば、前記機能部品が、照明、サインパネル、インターホン、ポスト、防犯ユニット、自動点灯装置のうちの少なくともいずれか１つであり、これらの機能を持たせた門柱を容易に提供することができる。
【発明を実施するための最良の形態】
【００２０】
図１（Ａ）、（Ｂ）、（Ｃ）はそれぞれ本発明による機能門柱の一実施の形態を示す正面図、側面図、背面図である。図２、図３はそれぞれ本実施の形態の門柱の前面側、背面側から見た分解斜視図である。図１ないし図３において、１は左右１対をなして設けられる縦板であり、木製、樹脂製、金属製、成形ボード等を用いることができるが、本実施の形態においてはアルミニウム合金製の押出形材により作製したものを示す。
【００２１】
２は左右の縦板１、１間を結合する仕切板であり、門柱の内部に画成された複数の機能部品収容用の空間を形成するものである。各仕切板２は左右の縦板１の前後幅よりやや狭い前後幅を有する。各仕切板２は、左右の端部をねじ８（図４参照）やリベットあるいはボルト、ナット等の固定具により縦板１に結合してなる。これらの仕切板２には木製、樹脂製、アルミニウム押出形材や鉄板等の金属製のものが用いられる。
【００２２】
３、４は仕切板２の前後にねじやリベットあるいはボルト、ナット等の固定具により固定されるスペーサである。このスぺーサ３、４は樹脂成形材でなる。
【００２３】
５、６、７はそれぞれ縦板１、１の前端部間に取付けられる前板であり、これらは単に板材であってもよい。本実施の形態においては、最下部の前板５は単なる板材であり、上方から２段目の前板６はインターホン２９を裏面に取付けたパネルの例を示す。また、最上部の前板７はサインパネル（表札）として用いられる。本例では、最上部の仕切板２上に照明器具９が取付けられる関係上、門柱の外面も証明されるように、サインパネルとしての前板７は、アクリル樹脂製透明板の内面に名字等を印刷あるいは貼り付けたものである。このサインパネルとしての前板７は表面側に名字等を記したものでもよい。また、照明が別の位置に設けられる場合には、この前板７は不透明のパネルであってもよい。
【００２４】
１０、１１、１２はそれぞれ前記前板５、６、７に対向する裏面側、すなわち縦板１、１の後端部間に取付けられる背板である。この例の背板のうち、最上段から２段目の背板１１は、明るさセンサー１３付き（暗くなると自動的に照明装置９を点灯させるもの）あるいはこのセンサーの付かないパネル、または防犯ユニット１４付き（門柱内に侵入した侵入者を検知して屋内にいる人等に報知する装置）のパネルである。最上段の背板１２は、サインパネルである。
【００２５】
図４、図５に示すように、これらの前板５〜７および背板１０〜１２は、前記縦板１の前後に設けた取付け溝１ａまたは１ｂに両端をスライド嵌合して取付けられる。また、各前板５〜７、背板１０〜１２の下縁は前記スぺーサ３、４に支持される。図６に示すように、例えば最上段の仕切板２の前部に取付けられるスぺーサ３は、ねじ１５により仕切板２に取付けられ、その下面、上面に設けた溝３ａ、３ｂを前板６の上縁、前板７の下縁に嵌合して、下側の前板６の上方への動きを阻止すると共に、上方の前板７を支持する。
【００２６】
１６はポストであり、このポスト１６は、全面に郵便物の投入口１７を有し、背面に郵便物を取り出すための扉１８を有する。このポスト１６を収容する空間の前後には前板や背板は取付けられず、開口構造である。このポスト１６は、図７に示すように、縦板１に設けた貫通孔１９に挿通するボルト２０を、ポスト１６の側面に設けたナット２１に螺合することにより固定される。このポスト１６を設けない場合は、その全面には前板で閉塞する。
【００２７】
２３は縦板１、前板７、背板１２の頂部に被せて固定する金属製、樹脂製等の蓋であり、この蓋２３は、図２、図３に示すように、側面部に設けた雌ねじ形成部２４を縦板１の内面に挿入し、縦板１に設けた貫通孔２５に通すねじ２６を前記雌ねじ形成部２４のねじ孔に螺合することによって縦板１の頂部に固定される。
【００２８】
図８は前記前板６に対するインターホン２９の取付け構造を示す図であり、インターホン２９は、カバー３０に嵌合され、カバー３０にねじ３１により取付け金具３２を固定し、その取付け金具３２をねじ３４によって前板６に固定することにより、内付け式のインターホン２９が前板６の裏側に取付けられる。
【００２９】
図９（Ａ）は前記インターホン２９の代わりにアルミニウムまたは樹脂製のプレートを前板６Ａとして取付ける例を示す。また、前記インターホン２９を取付けた前板６や、単なるプレートでなる前板６Ａの代わりに、図９（Ｂ）に示すように、外付け式のインターホン２９Ａを取付けた前板６を縦板１、１間に取付ける場合もある。この場合、前板６、６Ａは同じサイズに構成される。
【００３０】
図９（Ａ）に示すように、前記照明装置９の電源コード３５は、門柱の下部から一方の縦板１の下部の開口部３６を通し、縦板１の前後方向の中央部に縦に設けた凹部３７に沿わせ、縦板１の上部に設けた貫通孔３９に通し、最上部の仕切板２に取付けた照明装置９のソケット９ａ（９ｂはランプである。）（図２〜図４参照）に接続する。
【００３１】
図２〜図４に示すように、前記凹部３７には、断面形状がコの字形の形態をなすサイドパネル４０が、凹部３７の両側に形成した溝４１に上方からスライド嵌合させることにより取付けられ、前記照明装置９やインターホン２９等の電源コード３５を覆い、これらを保護すると共に、外観を向上させる。
【００３２】
図１０に示すように、縦板１、１間の下部で地上に露出した部分には発行ダイオードでなるフットライト４２が取付けられる。このフットライト４２は、縦板１に設けた前記開口部３６およびサイドパネル４０の開口部４３から外方に露出して下記の構造で取付けられる。すなわち、フットライト４２を設けた本体４４を取付け板４５に嵌合固定し、この取付け板４５に取付け金具４６をねじ４７により固定し、この取付け金具４６をねじ４９により縦板１の内面に本体４４と共に固定している。
【００３３】
５０は左右の縦板１の前後に形成した取付け部５１に押し嵌める装飾カバーであり、これらの装飾カバー５０は、種々の色のものを準備しておいて選択して取付けるものである。
【００３４】
本発明の門柱は上記実施の形態のように構成されるが、前記前板５〜７、背板１０〜１４および縦板１の外観（色、模様、透明、不透明等）や、材質（金属製、樹脂製、木製、成形ボード等）に種々のものを準備しておく。前板５〜７、背板１０〜１２の外観、材質の異なるものは、これらの幅や高さを統一しておき、仕切板２の上下間隔を固定しておくことにより、取り替え可能である。また、縦板１は前記前板５〜７、背板１０〜１２の取付けに考慮して予めサイズ、前板５〜７、背板１０〜１２の取付け構造を統一することにより、互換性が可能となる。
【００３５】
また前述のように、前板６に対して異なる種類のインターホン２９、２９Ａを取付けたものあるいは単なるパネルを選択したり、明るさセンサー１３付きパネル、または防犯ユニット１４付きパネルもしくは単なるパネルを選択可能である。
【００３６】
このように、本実施の形態の門柱は、サイズが統一された複数の部品を組み合わせて構成され、外観、材質、機能を選択可能であるから、需要や好みに応じて、外観、材質、機能が異なる種々の門柱を、基本的構成を共通にして容易に提供可能となる。このため、外観、材質、機能の異なる各種の門柱をそれぞれ独自の門柱として製造、保管しておく必要がなくなり、各部品は需要に応じて製造すればよいため、無駄が少なくなり、経済化が達成できる。
【００３７】
また、前記縦板の外面に取付けるサイドパネル４０を備えてそのサイドパネル４０として異なる外観、材質を有する複数種類のものを準備しておき、その中から選択されたものを縦板１に取付けておくことにより、さらに多種の外観の門柱を提供することができる。さらに、装飾カバー５０に種々の外観のものを準備しておき、その中から選択して取付けることにより、外観の異なる門柱が得られる。
【００３８】
また、上記実施の形態においては、前記縦板１の前後に、前記前板５〜７、背板１０〜１２の両側を上下方向にスライド嵌合して取付ける取付け溝１ａ、１ｂを設けたので、前板５〜７、背板１０〜１２の着脱が容易となる。
【００３９】
また、上記実施の形態においては、前記仕切板２の前後に、該当する仕切板２の上に隣接する前板５〜７、背板１０〜１２を支持するスペーサ３、４を取付けたので、仕切板２により画成された空間の前面や背面を開口構造とすることが容易であり、ポスト１６等のように前記画成された空間に収容される機能部品の前後面を開口構造とする必要のある場合に組立が容易となる。
【００４０】
また、照明装置、サインパネル、インターホン、ポスト、防犯ユニット、自動点灯装置等の機能を持たせた門柱を容易に提供することができる。
【００４１】
また、本実施の形態においては、図４、図5に示すように、縦板１の前後（いずれか一方でもよい。）に、取付け溝を2条（１ａと１ｃ、１ｂと１ｄ）設けているので、透明または半透明の2種のパネルを装着することが可能となり、より多種の外観を有する門柱の提供が可能となる。
【００４２】
また、2条の取付け溝１ａと１ｃ（１ｂと１ｄ）のうち、内側の取付け溝１ｃ（１ｄ）には透明または半透明のカラーパネル７Ａ（１２Ａ）を装着し、外側の取付け溝１ａ（１ｂ）には曇り度合の高い半透明のパネル７、１２を装着することにより、柔らかな感じの質感の高い外観が得られる。また、内部に照明装置９のある場所にこの２枚重ね構造を採用することにより、中の照明装置９が外部から見えず、外観が向上する。
【図面の簡単な説明】
【００４３】
【図１】（Ａ）、（Ｂ）、（Ｃ）はそれぞれ本発明の機能門柱の一実施の形態を示す正面図、側面図、背面図である。
【図２】本実施の形態の機能門柱を前面側から見た分解斜視図である。
【図３】本実施の形態の機能門柱を背面側から見た分解斜視図である。
【図４】本実施の形態の機能門柱の蓋を除いた状態で示す平面図である。
【図５】図４の部分拡大図である。
【図６】本実施の形態の１つのスぺーサの組付け構造を示す断面図である。
【図７】本実施の形態の１つのポストの組付け構造を示す分解斜視図である。
【図８】本実施の形態のポストの組付け構造を示す分解斜視図である。
【図９】（Ａ）は本実施の形態におけるインターホン以外の他の機能部品を取付けたパネルの例を示す分解斜視図、（Ｂ）はインターホンの他の例を示す斜視図ある。
【図１０】本実施の形態におけるフットライトの取付け構造を示す分解斜視図である。
【符号の説明】
【００４４】
１：縦板、１ａ〜１ｄ：取付け溝、２：仕切板、３、４：スぺーサ、５〜７、６Ａ、７Ａ：前板、９：照明器具、１０〜１２、１２Ａ：背板、１３：明るさセンサー、１４：防犯ユニット、１６：ポスト、２３：蓋、２９、２９Ａ：インターホン、３０：カバー、３２：取付け金具、３５：電源コード、３６：開口部、３７：凹部、４０：サイドパネル、５２：フットライト、４３：開口部、５０：装飾カバー
【図１】
2006241877.tif 000003
【図２】
2006241877.tif 000004
【図３】
2006241877.tif 000005
【図４】
2006241877.tif 000006
【図５】
2006241877.tif 000007
【図６】
2006241877.tif 000008
【図１０】
2006241877.tif 000009
【図７】
2006241877.tif 000010
【図８】
2006241877.tif 000011
【図９】
2006241877.tif 000012